(57)【特許請求の範囲】
【請求項１】
ケース本体の内部に画成され、かつ収納対象となる商品を収納する収納室と、
前記ケース本体の内部に前記収納室と少なくとも吸込口及び吹出口を通じて連通する態様で設けられた空気風路を有し、該空気風路と前記収納室との間で該収納室の内部の空気を循環させる空気循環手段と、
前記空気風路における前記収納室の上側風路に設けられ、かつ前記空気循環手段により循環させられる少なくとも一部の空気を所定の温度に調整する温度調整手段と
を備えたショーケースであって、
前記空気風路は、
前記収納室の背面側に設けられ、かつ前記吸込口を通じて吸い込まれた空気を前記上側風路に向けて通過させる第１背面側風路と、
前記第１背面側風路の前方側に該第１背面側風路と区画されて設けられ、かつ前記温度調整手段により調整された空気を通過させる第２背面側風路と、
前記収納室と前記第２背面側風路との間に設けられ、かつ前記第２背面側風路とは互いの下端部同士が連通した状態で区画されるとともに、前記収納室とは該収納室の背面パネルに形成された孔部を通じて連通する第３背面側風路と
を備え、
前記収納室の背面パネルにおける任意の前記孔部を貫通する態様で設けられることにより、該収納室及び前記第３背面側風路を仕切ることで上下に区画する仕切部材と、
前記孔部のそれぞれに開閉自在に設けられ、かつ前記仕切部材の装着の有無に関係なく開閉駆動する吹出量調整部材と
を備えたことを特徴とするショーケース。
【請求項２】
前記上側風路は、
前記第１背面側風路に連通するとともに前記吹出口に連通する第１上側風路と、
前記第１上側風路と区画された態様で前記第１背面側風路に連通するとともに前記第２背面側風路に連通し、かつ前記温度調整手段が設けられた第２上側風路と
を備えたことを特徴とする請求項１に記載のショーケース。
【請求項３】
前記第１上側風路に設けられ、かつ駆動することにより該第１上側風路を通過して前記収納室に吹き出される空気の量を調整する吹出量調整手段を備えたことを特徴とする請求項２に記載のショーケース。
【請求項４】
前記第１上側風路に開閉可能に設けられ、かつ開成する場合には該第１上側風路を空気が通過することを許容する一方、閉成する場合には該第１上側風路を空気が通過することを規制する開閉手段を備えたことを特徴とする請求項２に記載のショーケース。
【請求項５】
ケース本体の内部に画成され、かつ収納対象となる商品を収納する収納室と、
前記ケース本体の内部に前記収納室と少なくとも吸込口及び吹出口を通じて連通する態様で設けられた空気風路を有し、該空気風路と前記収納室との間で該収納室の内部の空気を循環させる空気循環手段と、
前記空気風路における前記収納室の上側風路に設けられ、かつ前記空気循環手段により循環させられる少なくとも一部の空気を所定の温度に調整する温度調整手段と
を備えたショーケースであって、
前記空気風路は、
前記収納室の背面側に設けられ、かつ前記吸込口を通じて吸い込まれた空気を前記上側風路に向けて通過させる第１背面側風路と、
前記第１背面側風路の前方側に該第１背面側風路と区画されて設けられ、かつ前記温度調整手段により調整された空気を通過させる第２背面側風路と、
前記収納室と前記第２背面側風路との間に設けられ、かつ前記第２背面側風路とは互いの下端部同士が連通した状態で区画されるとともに、前記収納室とは該収納室の背面パネルに形成された孔部を通じて連通する第３背面側風路と
を備え、
前記収納室の背面パネルにおける任意の前記孔部を貫通する態様で設けられることにより、該収納室及び前記第３背面側風路を仕切ることで上下に区画する仕切部材を備え、
前記吸込口は、第１吸込口と第２吸込口とに区画され、
前記上側風路は、前記吹出口に連通する第１上側風路と、該第１上側風路と区画されるとともに前記温度調整手段が設けられた第２上側風路とを備えてなり、
前記第１背面側風路は、前記第１吸込口を通じて吸い込まれた空気を前記第２上側風路に向けて通過させ、
前記第２背面側風路は、前記第２上側風路を通過した空気を前記第３背面側風路に向けて通過させるものであり、
前記第１背面側風路、前記第２背面側風路及び前記第３背面側風路と区画されて設けられ、かつ前記第２吸込口を通じて吸い込まれた空気を前記第１上側風路に向けて通過させる外方背面側風路を備えたことを特徴とするショーケース。
【請求項６】
ケース本体の内部に画成され、かつ収納対象となる商品を収納する収納室と、
前記ケース本体の内部に前記収納室と少なくとも吸込口及び吹出口を通じて連通する態様で設けられた空気風路を有し、該空気風路と前記収納室との間で該収納室の内部の空気を循環させる空気循環手段と、
前記空気風路における前記収納室の上側風路に設けられ、かつ前記空気循環手段により循環させられる少なくとも一部の空気を所定の温度に調整する温度調整手段と
を備えたショーケースであって、
前記空気風路は、
前記収納室の背面側に設けられ、かつ前記吸込口を通じて吸い込まれた空気を前記上側風路に向けて通過させる第１背面側風路と、
前記第１背面側風路の前方側に該第１背面側風路と区画されて設けられ、かつ前記温度調整手段により調整された空気を通過させる第２背面側風路と、
前記収納室と前記第２背面側風路との間に設けられ、かつ前記第２背面側風路とは互いの下端部同士が連通した状態で区画されるとともに、前記収納室とは該収納室の背面パネルに形成された孔部を通じて連通する第３背面側風路と
を備え、
前記収納室の背面パネルにおける任意の前記孔部を貫通する態様で設けられることにより、該収納室及び前記第３背面側風路を仕切ることで上下に区画する仕切部材を備え、
前記吸込口は、第１吸込口と第２吸込口とを有し、
前記上側風路は、前記吹出口に連通する第１上側風路と、該第１上側風路と区画されるとともに前記温度調整手段が設けられた第２上側風路とを有し、
前記第１背面側風路は、前記第１吸込口を通じて吸い込まれた空気を前記第２上側風路に向けて通過させる第１通過用風路と、前記第１通過用風路と区画された態様で設けられ、かつ前記第２吸込口を通じて吸い込まれた空気を前記第１上側風路に向けて通過させる第２通過用風路とを有し、
前記第２背面側風路は、前記第２上側風路を通過した空気を前記第３背面側風路に向けて通過させるものであることを特徴とするショーケース。
【請求項７】
前記第１吸込口と前記第２吸込口とは、一方が他方よりも上方側に位置する態様で高低差を設けたことを特徴とする請求項６に記載のショーケース。
【請求項８】
前記第１上側風路は、前記第２上側風路の両側域に配置され、かつ途中で互いに合流して前記吹出口に連通しており、
前記第１上側風路同士の合流部分に設けられ、かつ通過する空気を左右均一となるよう整流させる整流板を備えたことを特徴とする請求項６又は請求項７に記載のショーケース。
【発明の詳細な説明】
【技術分野】
【０００１】
本発明は、ショーケースに関し、より詳細には、収納対象となる商品を所望の温度状態に保持するショーケースに関するものである。
【背景技術】
【０００２】
従来、収納対象となる商品を所望の温度状態に保持するショーケースが特許文献１に提案されている。この特許文献１に提案されているショーケースでは、前面に開口が形成されたケース本体の収納室に、複数の商品陳列棚が上下方向に沿って複数段設けられており、それぞれの商品陳列棚に商品が載置されることで陳列されている。
【０００３】
また、ケース本体内であって収納室外となる個所には、収納室の前方下部に設けられた吸込口を通じて吸い込んだ収納室内の空気の風路が形成されており、上記収納室の上方側における空気の風路には蒸発器が設けられている。
【０００４】
このような空気の風路を通過する空気は、蒸発器で冷却され、その後に収納室の前方上部に設けられた吹出口より吹き出される。吹出口から吹き出された空気が吸込口に吸い込まれた空気の風路を循環することにより、収納室の内部空気が冷却されて商品陳列棚に陳列された商品が所望の温度に調整されて保持される。
【０００５】
このようなショーケースでは、蒸発器が収納室の上方側に設けられているので、蒸発器が収納室の背面側や下方側に設けられている場合に比して収納室の容積を十分に大きくすることができ、商品の陳列スペースを十分に確保することができる。
【先行技術文献】
【特許文献】
【０００６】
【特許文献１】特許第３６９５８８５号公報
【発明の概要】
【発明が解決しようとする課題】
【０００７】
ところで、上述した特許文献１に提案されているショーケースでは、吸込口が収納室の前方下部に設けられ、かつ吹出口が収納室の前方上部に設けられており、更に蒸発器収納室の上方側に設けられているので、収納室の背面側における空気の風路には、吸込口から吸い込まれて蒸発器に向け空気が通過することとなる。つまり、収納室の背面側における空気の風路には、蒸発器に冷却される前の空気のみが通過している。
【０００８】
そのため、収納室を仕切棚等によって上下に区画するとともに、収納室の背面側における空気の風路も該仕切棚等によって上下に区画しても、一方側にのみ蒸発器を通過した空気を導入させることは困難であり、結果的に、収納室の商品を異なる温度状態に保持することが困難であった。
【０００９】
本発明は、上記実情に鑑みて、商品の陳列スペースを十分に確保しつつ、収納室の商品を異なる温度状態に保持することができるショーケースを提供することを目的とする。
【課題を解決するための手段】
【００１０】
上記目的を達成するために、本発明に係るショーケースは、ケース本体の内部に画成され、かつ収納対象となる商品を収納する収納室と、前記ケース本体の内部に前記収納室と少なくとも吸込口及び吹出口を通じて連通する態様で設けられた空気風路を有し、該空気風路と前記収納室との間で該収納室の内部の空気を循環させる空気循環手段と、前記空気風路における前記収納室の上側風路に設けられ、かつ前記空気循環手段により循環させられる少なくとも一部の空気を所定の温度に調整する温度調整手段とを備えたショーケースであって、前記空気風路は、前記収納室の背面側に設けられ、かつ前記吸込口を通じて吸い込まれた空気を前記上側風路に向けて通過させる第１背面側風路と、前記第１背面側風路の前方側に該第１背面側風路と区画されて設けられ、かつ前記温度調整手段により調整された空気を通過させる第２背面側風路と、前記収納室と前記第２背面側風路との間に設けられ、かつ前記第２背面側風路とは互いの下端部同士が連通した状態で区画されるとともに、前記収納室とは該収納室の背面パネルに形成された孔部を通じて連通する第３背面側風路とを備え、前記収納室の背面パネルにおける任意の前記孔部を貫通する態様で設けられることにより、該収納室及び前記第３背面側風路を仕切ることで上下に区画する仕切部材を備えたことを特徴とする。
【００１１】
また本発明は、上記ショーケースにおいて、前記上側風路は、前記第１背面側風路に連通するとともに前記吹出口に連通する第１上側風路と、前記第１上側風路と区画された態様で前記第１背面側風路に連通するとともに前記第２背面側風路に連通し、かつ前記温度調整手段が設けられた第２上側風路とを備えたことを特徴とする。
【００１２】
また本発明は、上記ショーケースにおいて、前記第１上側風路に設けられ、かつ駆動することにより該第１上側風路を通過して前記収納室に吹き出される空気の量を調整する吹出量調整手段を備えたことを特徴とする。
【００１３】
また本発明は、上記ショーケースにおいて、前記第１上側風路に開閉可能に設けられ、かつ開成する場合には該第１上側風路を空気が通過することを許容する一方、閉成する場合には該第１上側風路を空気が通過することを規制する開閉手段を備えたことを特徴とする。
【００１４】
また本発明は、上記ショーケースにおいて、前記孔部のそれぞれに開閉自在に設けられた吹出量調整部材を備えたことを特徴とする。
【００１５】
また本発明は、上記ショーケースにおいて、前記吸込口は、第１吸込口と第２吸込口とに区画され、前記上側風路は、前記吹出口に連通する第１上側風路と、該第１上側風路と区画されるとともに前記温度調整手段が設けられた第２上側風路とを備えてなり、前記第１背面側風路は、前記第１吸込口を通じて吸い込まれた空気を前記第２上側風路に向けて通過させ、前記第２背面側風路は、前記第２上側風路を通過した空気を前記第３背面側風路に向けて通過させるものであり、前記第１背面側風路、前記第２背面側風路及び前記第３背面側風路と区画されて設けられ、かつ前記第２吸込口を通じて吸い込まれた空気を前記第１上側風路に向けて通過させる外方背面側風路を備えたことを特徴とする。
【００１６】
また本発明は、上記ショーケースにおいて、前記吸込口は、第１吸込口と第２吸込口とを有し、前記上側風路は、前記吹出口に連通する第１上側風路と、該第１上側風路と区画されるとともに前記温度調整手段が設けられた第２上側風路とを有し、前記第１背面側風路は、前記第１吸込口を通じて吸い込まれた空気を前記第２上側風路に向けて通過させる第１通過用風路と、前記第１通過用風路と区画された態様で設けられ、かつ前記第２吸込口を通じて吸い込まれた空気を前記第１上側風路に向けて通過させる第２通過用風路とを有し、前記第２背面側風路は、前記第２上側風路を通過した空気を前記第３背面側風路に向けて通過させるものであることを特徴とする。
【００１７】
また本発明は、上記ショーケースにおいて、前記第１吸込口と前記第２吸込口とは、一方が他方よりも上方側に位置する態様で高低差を設けたことを特徴とする。
【００１８】
また本発明は、上記ショーケースにおいて、前記第１上側風路は、前記第２上側風路の両側域に配置され、かつ途中で互いに合流して前記吹出口に連通しており、前記第１上側風路同士の合流部分に設けられ、かつ通過する空気を左右均一となるよう整流させる整流板を備えたことを特徴とする。
【発明の効果】
【００１９】
本発明によれば、空気風路は、収納室の背面側に設けられ、かつ吸込口を通じて吸い込まれた空気を上側風路に向けて通過させる第１背面側風路と、第１背面側風路の前方側に該第１背面側風路と区画されて設けられ、かつ温度調整手段により調整された空気を通過させる第２背面側風路と、収納室と第２背面側風路との間に設けられ、かつ第２背面側風路とは互いの下端部同士が連通した状態で区画されるとともに、収納室とは背面パネルに形成された孔部を通じて連通する第３背面側風路とを備えてなり、上記背面パネルにおける任意の孔部を貫通する態様で設けられた仕切部材が、収納室及び第３背面側風路を仕切って上下に区画するので、第２背面側風路を通過する空気、すなわち温度調整手段により調整された空気を仕切部材よりも下方の孔部から吹き出させることができる。これにより、収納室における仕切部材の上方領域の内部空気と仕切部材の下方領域の内部空気とを異なる温度帯に調整することができる。つまり、仕切部材の下方領域の内部空気を仕切部材の上方領域の内部空気よりも低い温度にすることができる。従って、商品の陳列スペースを十分に確保しつつ、収納室の商品を異なる温度状態に保持することができるという効果を奏する。
【００２０】
また本発明によれば、収納室と第２背面側風路との間には、第３背面側風路が設けられており、仕切部材よりも上方側の第３背面側風路には温度調整手段により調整された空気が通過しないから、第３背面側風路における仕切部材よりも上方部分は、収納室における仕切部材の上方領域と、第２背面側風路との緩衝領域として作用し、熱伝導による損失や、背面パネルの結露等を防止することができるという効果を奏する。
【図面の簡単な説明】
【００２１】
【図１】図１は、本発明の実施の形態１であるショーケースの内部構造を模式的に示す断面側面図である。
【図２】図２は、図１において吹出量調整手段を閉駆動させた場合を模式的に示す断面側面図である。
【図３】図３は、本発明の実施の形態２であるショーケースの内部構造を模式的に示す断面側面図である。
【図４】図４は、図３において全ての吹出量調整部材を開駆動させた場合を模式的に示す断面側面図である。
【図５】図５は、図１において仕切部材を取り外した状態で運転した場合を模式的に示す断面側面図である。
【図６】図６は、本発明の実施の形態１であるショーケースの変形例において、仕切部材を取り外した状態で運転した場合を模式的に示す断面側面図である。
【図７】図７は、本発明の実施の形態３であるショーケースの内部構造を模式的に示す断面側面図である。
【図８】図８は、本発明の実施の形態４であるショーケースを模式的に示す正面図である。
【図９】図９は、図８のＡ−Ａ線断面図である。
【図１０】図１０は、図８のＢ−Ｂ線断面図である。
【図１１】図１１は、第１背面側風路の構成を示す斜視図である。
【発明を実施するための形態】
【００２２】
以下に添付図面を参照して、本発明に係るショーケースの好適な実施の形態について詳細に説明する。
【００２３】
＜実施の形態１＞
図１は、本発明の実施の形態１であるショーケースの内部構造を模式的に示す断面側面図である。ここで例示するショーケースは、ケース本体１０を備えている。
【００２４】
ケース本体１０は、前面に開口（以下、前面開口ともいう）１０ａが形成された断熱筐体である。このケース本体１０は、その内部に収納室１１が画成されているとともに、空気循環手段２０、吹出量調整手段３０、吹出量調整部材４０及び仕切部材５０が設けられている。
【００２５】
収納室１１は、上記前面開口１０ａを臨む態様で画成された室であり、複数（図示の例では５つ）の商品陳列棚１２が上下方向に沿って並べて配設されている。商品陳列棚１２は、それぞれ商品を載置して陳列するためのものである。かかる収納室１１の底部にはデッキパン１３が配設されている。このデッキパン１３は、上記商品陳列棚１２と同様に商品を載置して陳列するためのものである。
【００２６】
また収納室１１を画成する背面パネル１４には、複数の孔部１５が形成されている。これら孔部１５は、複数の高さレベルに設けられており、左右方向が長手方向となる長孔である。より詳細に説明すると、孔部１５は、各商品陳列棚１２の下部に形成されている。
【００２７】
更に収納室１１の前方下部には吸込口１６が形成されているとともに、収納室１１の前方上部には吹出口１７が形成されている。
【００２８】
吸込口１６は、収納室１１の内部の空気を吸い込むための開口であり、収納室１１の左右方向に沿って延設されている。吹出口１７は、収納室１１の内部に空気を吹き出すための開口であり、収納室１１の左右方向に延設されている。この吹出口１７には、例えばハニカム構造の整流部材１７ａが取り付けられている。
【００２９】
空気循環手段２０は、空気風路２０ａと循環ファン２０ｂとを備えて構成されている。空気風路２０ａは、吸込口１６から吹出口１７及び各孔部１５に至る空気の風路である。
【００３０】
このような空気風路２０ａは、下側風路２１と、第１背面側風路２２と、上側風路２３と、第２背面側風路２４と、第３背面側風路２５とを備えて構成されている。
【００３１】
下側風路２１は、収納室１１外であってその下方に前後方向に沿って設けられている。この下側風路２１は、吸込口１６に連通している。第１背面側風路２２は、収納室１１外であってその背面側に上下方向に沿って設けられている。この第１背面側風路２２は、下側風路２１に連通している。
【００３２】
上側風路２３は、収納室１１外であってその上方に設けられており、第１背面側風路２２に連通している。この上側風路２３は、２つに分かれており、上方側となる第１上側風路２３ａと、下方側となる第２上側風路２３ｂとを有している。第１上側風路２３ａは、吹出口１７に連通している。
【００３３】
第２背面側風路２４は、収納室１１の背面側において上下方向に沿って延在しており、第２上側風路２３ｂと連通している。この第２背面側風路２４は、第１背面側風路２２の前方側で延設されていて、該第１背面側風路２２と区画されている。
【００３４】
第３背面側風路２５は、収納室１１の背面側において上下方向に沿って延在している。この第３背面側風路２５は、第２背面側風路２４と収納室１１との間に延設され、第２背面側風路２４とは互いの下端部同士が連通した状態で区画されており、収納室１１とは背面パネル１４に配設された各孔部１５を通じて連通している。また、この第３背面側風路２５は、連絡風路２６を通じて第１上側風路２３ａに連通している。
【００３５】
循環ファン２０ｂは、図示せぬ制御手段から与えられる指令により駆動して空気を循環させるものであり、下側風路２１の所定部位に配設されている。本実施の形態においては、循環ファン２０ｂは下側風路２１の所定部位に配設されているが、本発明では、循環ファン２０ｂの配設位置は特に限定されるものではなく、後述する循環ファン２０ｂの機能を発揮することができる個所であればどこに配設しても構わない。
【００３６】
このような空気循環手段２０においては、循環ファン２０ｂが駆動することにより吸込口１６を通じて収納室１１の内部にある空気（内部空気）を吸い込み、吸い込んだ空気が空気風路２０ａを通過する態様で吹出口１７及び各孔部１５まで送出し、吹出口１７及び各孔部１５を通じて送出した空気を収納室１１の内部に吹き出すことにより、収納室１１の内部と外部との間で空気を循環させるものである。
【００３７】
上記空気風路２０ａの第２上側風路２３ｂには、蒸発器（温度調整手段）６０が設けられている。すなわち、蒸発器６０は、ケース本体１０において収納室１１よりも上方域に配設されている。蒸発器６０は、圧縮機６１、凝縮器６２及び膨張機構６３とともに冷媒を循環させる冷媒循環手段を構成している。ここで圧縮機６１は、制御手段から与えられる指令により駆動するもので、冷媒を圧縮するものである。凝縮器６２は、圧縮機６１で圧縮された冷媒を凝縮させるものである。膨張機構６３は、凝縮器６２で凝縮された冷媒を断熱膨張させて低温低圧の状態にさせるものである。
【００３８】
蒸発器６０は、循環ファン２０ｂが駆動することにより第２上側風路２３ｂを後方から前方に向けて通過する空気と、膨張機構６３で断熱膨張させた冷媒とを熱交換させるもの、より詳細には、冷媒を蒸発させることにより第２上側風路２３ｂを通過する空気を冷却するものである。この蒸発器６０で蒸発した冷媒は、再び圧縮機６１に戻り圧縮されることになる。
【００３９】
吹出量調整手段３０は、第１上側風路２３ａにおける該第１上側風路２３ａと連絡風路２６との合流個所よりも上流側に設けられている。この吹出量調整手段３０は、制御手段から与えられる指令により開閉駆動する弁体のようなものであり、閉駆動する場合には、第１上側風路２３ａの一部を閉塞することにより、該第１上側風路２３ａを空気が通過することを規制するものである。このように吹出量調整手段３０は、第１上側風路２３ａを通過する空気の量を制御することで、吹出口１７から吹き出される空気量を調整するものである。
【００４０】
尚、本実施の形態では、吹出量調整手段３０として制御手段から与えられる指令に応じて開閉駆動する弁体を例示したが、本発明においては、吹出量調整手段３０としてダンパを適用してよい。すなわち、吹出量調整手段３０は、制御手段から与えられる指令により自身の通過口の開放割合を調整するものであってもよい。これによっても第１上側風路２３ａを通過して吹出口１７に向けて流れる空気の量を制御し、結果的に吹出口１７から吹き出される空気量を調整することができる。
【００４１】
吹出量調整部材４０は、複数設けられており、それぞれ上記孔部１５の高さレベル毎に設けられている。この吹出量調整部材４０は、制御手段から与えられる指令により開閉駆動するものであり、閉駆動する場合には、対応する孔部１５を閉塞するものである。このような吹出量調整部材４０は、背面パネル１４に設けられた孔部１５より吹き出される空気量を調整するものである。
【００４２】
尚、本実施の形態では、吹出量調整部材４０として制御手段から与えられる指令に応じて開閉駆動する弁体を例示したが、本発明においては、吹出量調整部材４０としてダンパを適用してよい。すなわち、吹出量調整部材４０は、制御手段から与えられる指令により自身の通過口の開放割合を調整するものであってもよい。これによっても孔部１５から吹き出される空気量を調整することができる。
【００４３】
仕切部材５０は、左右方向が長手方向となる断熱性の長尺状棚部材である。この仕切部材５０は、収納室１１の背面パネル１４における任意の孔部１５を貫通する態様で設けられている。より具体的には、仕切部材５０は、最上位から３番目の商品陳列棚１２と、最上位から４番目の商品陳列棚１２との間に設けられた孔部１５を貫通して、基端部５１が第３背面側風路２５と第２背面側風路２４とを区画する壁２７に当接している。尚、仕切部材５０が取り付けられる孔部１５では、吹出量調整部材４０が開駆動して開成されている。このような仕切部材５０は、収納室１１及び第３背面側風路２５を仕切ることで上下に区画している。
【００４４】
以上のような構成によるショーケースにおいては、制御手段から与えられる指令により、吹出量調整手段３０を開駆動させるとともに、仕切部材５０が貫通する孔部１５より下方の吹出量調整部材４０を開駆動させ、かつ仕切部材５０が貫通する孔部１５より上方の吹出量調整部材４０を閉駆動させてこれらに対応する孔部１５を閉成させた状態で循環ファン２０ｂ及び圧縮機６１を駆動させると、商品陳列棚１２に載置された商品は次のようにして冷却される。
【００４５】
収納室１１の内部の空気は、吸込口１６を通じて吸い込まれ、下側風路２１及び第１背面側風路２２を通過し、上側風路２３において第１上側風路２３ａ及び第２上側風路２３ｂに進入する。
【００４６】
第１上側風路２３ａに進入した空気は、吹出口１７に至り、該吹出口１７から吹き出される。一方、第２上側風路２３ｂに進入した空気は、蒸発器６０を通過して冷却される。この蒸発器６０にて冷却された空気は、第２背面側風路２４に至り、この第２背面側風路２４を通過した後に第３背面側風路２５に至り、仕切部材５０よりも下方の開成する孔部１５から吹き出される。
【００４７】
吹出口１７から吹き出された空気は、その大部分が吸込口１６に向けて流れることでエアカーテンを形成する。このようにエアカーテンを形成することにより、外部からの熱の侵入を抑制する。また、孔部１５から吹き出された空気は、商品陳列棚１２及びデッキパン１３の上方域を後方から前方に向けて流れ、その後にエアカーテンに合流する。
【００４８】
このようにして収納室１１の内部空気を循環させることで、収納室１１における仕切部材５０の上方領域の内部空気と仕切部材５０の下方領域の内部空気とを異なる温度帯に調整することができる。つまり、仕切部材５０の下方領域の内部空気を仕切部材５０の上方領域の内部空気よりも低い温度にすることができる。
【００４９】
この結果、収納室１１では、仕切部材５０の上方領域における商品と、仕切部材５０の下方領域における商品とを異なる温度帯に保持することができる。
【００５０】
また、上記ショーケースにおいては、次のようにして商品陳列棚１２に載置された商品を異なる温度帯に保持することもできる。
【００５１】
制御手段から与えられる指令により図１に示した状態から吹出量調整手段３０を閉駆動させて第１上側風路２３ａの一部を閉塞すると、図２に示すように、収納室１１の内部の空気は、吸込口１６を通じて吸い込まれ、下側風路２１及び第１背面側風路２２を通過し、上側風路２３において第２上側風路２３ｂに進入する。
【００５２】
第２上側風路２３ｂに進入した空気は、蒸発器６０を通過して冷却される。この蒸発器６０にて冷却された空気は、第２背面側風路２４に至り、この第２背面側風路２４を通過した後に第３背面側風路２５に至り、仕切部材５０よりも下方の開成する孔部１５から吹き出される。
【００５３】
孔部１５から吹き出された空気は、商品陳列棚１２及びデッキパン１３の上方域を後方から前方に向けて流れ、その後に吸込口１６に吸い込まれて循環する。
【００５４】
このようにして収納室１１の内部空気を循環させることで、収納室１１における仕切部材５０の上方領域の内部空気と仕切部材５０の下方領域の内部空気とを異なる温度帯に調整することができる。つまり、仕切部材５０の下方領域の内部空気を仕切部材５０の上方領域の内部空気よりも低い温度にすることができる。仕切部材５０の上方領域では、エアカーテン等が形成されないので、商品陳列棚１２に内蔵されるヒータ等を駆動させることにより、仕切部材５０の上方領域の商品を容易に加熱等することができる。
【００５５】
この結果、収納室１１では、仕切部材５０の上方領域における商品と、仕切部材５０の下方領域における商品とを異なる温度帯に保持することができる。
【００５６】
以上説明したように、本発明の実施の形態１であるショーケースによれば、蒸発器６０が収納室１１の上方側に設けられているので、蒸発器６０が収納室１１の背面側や下方側に設けられている場合に比して収納室１１の容積を十分に大きくすることができ、商品の陳列スペースを十分に確保することができる。しかも、仕切部材５０の上方領域における商品と、仕切部材５０の下方領域における商品とを異なる温度帯に保持することができるので、収納室１１の商品を異なる温度状態に保持することができる。つまり、上記ショーケースによれば、商品の陳列スペースを十分に確保しつつ、収納室１１の商品を異なる温度状態に保持することができる。
【００５７】
特に、収納室１１と第２背面側風路２４との間には、第３背面側風路２５が設けられており、仕切部材５０よりも上方側の第３背面側風路２５には蒸発器６０で冷却された空気が通過しないから、第３背面側風路２５における仕切部材５０よりも上方部分は、収納室１１における仕切部材５０の上方領域と、第２背面側風路２４との緩衝領域として作用し、熱伝導による損失や、背面パネル１４の結露等を防止することができる。
【００５８】
＜実施の形態２＞
図３は、本発明の実施の形態２であるショーケースの内部構造を模式的に示す断面側面図である。尚、上述した実施の形態１と同様の構成を有するものには同一の符号を付して説明する。ここで例示するショーケースは、ケース本体１０′を備えている。
【００５９】
ケース本体１０′は、前面に開口（以下、前面開口ともいう）１０ａが形成された断熱筐体である。このケース本体１０′は、その内部に収納室１１が画成されているとともに、空気循環手段２０、アシストファン３１、吹出量調整部材４０及び仕切部材５０が設けられている。
【００６０】
収納室１１は、上記前面開口１０ａを臨む態様で画成された室であり、複数（図示の例では５つ）の商品陳列棚１２が上下方向に沿って並べて配設されている。商品陳列棚１２は、それぞれ商品を載置して陳列するためのものである。かかる収納室１１の底部にはデッキパン１３が配設されている。このデッキパン１３は、上記商品陳列棚１２と同様に商品を載置して陳列するためのものである。
【００６１】
また収納室１１を画成する背面パネル１４には、複数の孔部１５が形成されている。これら孔部１５は、複数の高さレベルにおいて左右方向が長手方向となる長孔である。より詳細に説明すると、孔部１５は、各商品陳列棚１２の下部に形成されている。
【００６２】
更に収納室１１の前方下部には吸込口１６が形成されているとともに、収納室１１の前方上部には吹出口１７が形成されている。
【００６３】
吸込口１６は、収納室１１の内部の空気を吸い込むための開口であり、収納室１１の左右方向に沿って延設されている。吹出口１７は、収納室１１の内部に空気を吹き出すための開口であり、収納室１１の左右方向に延設されている。この吹出口１７には、例えばハニカム構造の整流部材１７ａが取り付けられている。
【００６４】
空気循環手段２０は、空気風路２０ａと循環ファン２０ｂとを備えて構成されている。空気風路２０ａは、吸込口１６から吹出口１７及び各孔部１５に至る空気の風路である。
【００６５】
このような空気風路２０ａは、下側風路２１と、第１背面側風路２２と、上側風路２３と、第２背面側風路２４と、第３背面側風路２５とを備えて構成されている。
【００６６】
下側風路２１は、収納室１１外であってその下方に前後方向に沿って設けられている。この下側風路２１は、吸込口１６に連通している。第１背面側風路２２は、収納室１１外であってその背面側に上下方向に沿って設けられている。この第１背面側風路２２は、下側風路２１に連通している。
【００６７】
上側風路２３は、収納室１１外であってその上方に設けられており、第１背面側風路２２に連通している。この上側風路２３は、２つに分かれており、上方側となる第１上側風路２３ａと、下方側となる第２上側風路２３ｂとを有している。第１上側風路２３ａは、吹出口１７に連通している。
【００６８】
第２背面側風路２４は、収納室１１の背面側において上下方向に沿って延在しており、第２上側風路２３ｂと連通している。この第２背面側風路２４は、第１背面側風路２２の前方側で延設されていて、該第１背面側風路２２と区画されている。
【００６９】
第３背面側風路２５は、収納室１１の背面側において上下方向に沿って延在している。この第３背面側風路２５は、第２背面側風路２４と収納室１１との間に延設され、第２背面側風路２４とは互いの下端部同士が連通した状態で区画されており、収納室１１とは背面パネル１４に配設された各孔部１５を通じて連通している。また、この第３背面側風路２５は、連絡風路２６を通じて第１上側風路２３ａに連通している。
【００７０】
循環ファン２０ｂは、図示せぬ制御手段から与えられる指令により駆動して空気を循環させるものであり、下側風路２１の所定部位に配設されている。本実施の形態においては、循環ファン２０ｂは下側風路２１の所定部位に配設されているが、本発明では、循環ファン２０ｂの配設位置は特に限定されるものではなく、後述する循環ファン２０ｂの機能を発揮することができる個所であればどこに配設しても構わない。
【００７１】
このような空気循環手段２０においては、循環ファン２０ｂが駆動することにより吸込口１６を通じて収納室１１の内部にある空気（内部空気）を吸い込み、吸い込んだ空気が空気風路２０ａを通過する態様で吹出口１７及び各孔部１５まで送出し、吹出口１７及び各孔部１５を通じて送出した空気を収納室１１の内部に吹き出すことにより、収納室１１の内部と外部との間で空気を循環させるものである。
【００７２】
上記空気風路２０ａの第２上側風路２３ｂには、蒸発器（温度調整手段）６０が設けられている。すなわち、蒸発器６０は、ケース本体１０′において収納室１１よりも上方域に配設されている。蒸発器６０は、圧縮機６１、凝縮器６２及び膨張機構６３とともに冷媒を循環させる冷媒循環手段を構成している。ここで圧縮機６１は、制御手段から与えられる指令により駆動するもので、冷媒を圧縮するものである。凝縮器６２は、圧縮機６１で圧縮された冷媒を凝縮させるものである。膨張機構６３は、凝縮器６２で凝縮された冷媒を断熱膨張させて低温低圧の状態にさせるものである。
【００７３】
蒸発器６０は、循環ファン２０ｂが駆動することにより第２上側風路２３ｂを後方から前方に向けて通過する空気と、膨張機構６３で断熱膨張させた冷媒とを熱交換させるもの、より詳細には、冷媒を蒸発させることにより第２上側風路２３ｂを通過する空気を冷却するものである。この蒸発器６０で蒸発した冷媒は、再び圧縮機６１に戻り圧縮されることになる。
【００７４】
アシストファン３１は、第１上側風路２３ａにおける該第１上側風路２３ａと連絡風路２６との合流個所よりも上流側に設けられている。このアシストファン３１は、制御手段から与えられる指令により回転駆動するものである。尚、本実施の形態２では、アシストファン３１を用いているが、本発明においては、アシストファン３１の代わりに、例えば遮蔽板等の風路抵抗部材を用いてもよい。
【００７５】
吹出量調整部材４０は、複数設けられており、それぞれ上記孔部１５の高さレベル毎に設けられている。この吹出量調整部材４０は、制御手段から与えられる指令により開閉駆動するものであり、閉駆動する場合には、対応する孔部１５を閉塞するものである。このような吹出量調整部材４０は、背面パネル１４に設けられた孔部１５より吹き出される空気量を調整するものである。
【００７６】
尚、本実施の形態では、吹出量調整部材４０として制御手段から与えられる指令に応じて開閉駆動する弁体を例示したが、本発明においては、吹出量調整部材４０としてダンパを適用してよい。すなわち、吹出量調整部材４０は、制御手段から与えられる指令により自身の通過口の開放割合を調整するものであってもよい。これによっても孔部１５から吹き出される空気量を調整することができる。
【００７７】
仕切部材５０は、左右方向が長手方向となる断熱性の長尺状棚部材である。この仕切部材５０は、収納室１１の背面パネル１４における任意の孔部１５を貫通する態様で設けられている。より具体的には、仕切部材５０は、最上位から３番目の商品陳列棚１２と、最上位から４番目の商品陳列棚１２との間に設けられた孔部１５を貫通して、基端部５１が第３背面側風路２５と第２背面側風路２４とを区画する壁２７に当接している。尚、該孔部１５を開閉する吹出量調整部材４０は、開駆動して該孔部１５を開成している。このような仕切部材５０は、収納室１１及び第３背面側風路２５を仕切ることで上下に区画している。
【００７８】
以上のような構成によるショーケースにおいては、制御手段から与えられる指令により、アシストファン３１を回転駆動させるとともに、仕切部材５０が貫通する孔部１５より下方の吹出量調整部材４０を開駆動させ、かつ仕切部材５０が貫通する孔部１５より上方の吹出量調整部材４０を閉駆動させてこれらに対応する孔部１５を閉成させた状態で循環ファン２０ｂ及び圧縮機６１を駆動させると、商品陳列棚１２に載置された商品は次のようにして冷却される。
【００７９】
収納室１１の内部の空気は、吸込口１６を通じて吸い込まれ、下側風路２１及び第１背面側風路２２を通過し、上側風路２３において第１上側風路２３ａ及び第２上側風路２３ｂに進入する。
【００８０】
第１上側風路２３ａに進入した空気は、吹出口１７に至り、該吹出口１７から吹き出される。一方、第２上側風路２３ｂに進入した空気は、蒸発器６０を通過して冷却される。この蒸発器６０にて冷却された空気は、第２背面側風路２４に至り、この第２背面側風路２４を通過した後に第３背面側風路２５に至り、仕切部材５０よりも下方の開成する孔部１５から吹き出される。
【００８１】
吹出口１７から吹き出された空気は、その大部分が吸込口１６に向けて流れることでエアカーテンを形成する。このようにエアカーテンを形成することにより、外部からの熱の侵入を抑制する。また、孔部１５から吹き出された空気は、商品陳列棚１２及びデッキパン１３の上方域を後方から前方に向けて流れ、その後にエアカーテンに合流する。
【００８２】
このようにして収納室１１の内部空気を循環させることで、収納室１１における仕切部材５０の上方領域の内部空気と仕切部材５０の下方領域の内部空気とを異なる温度帯に調整することができる。つまり、仕切部材５０の下方領域の内部空気を仕切部材５０の上方領域の内部空気よりも低い温度にすることができる。
【００８３】
この結果、収納室１１では、仕切部材５０の上方領域における商品と、仕切部材５０の下方領域における商品とを異なる温度帯に保持することができる。
【００８４】
また、上記ショーケースにおいては、次のようにして商品陳列棚１２に載置された商品を異なる温度帯に保持することもできる。
【００８５】
制御手段から与えられる指令により図３に示した状態から仕切部材５０が貫通する孔部１５より上方の吹出量調整部材４０を開駆動させてすべての孔部１５を開成させると、図４に示すように、収納室１１の内部の空気は、吸込口１６を通じて吸い込まれ、下側風路２１及び第１背面側風路２２を通過し、上側風路２３において第１上側風路２３ａ及び第２上側風路２３ｂに進入する。
【００８６】
第１上側風路２３ａに進入した空気は、途中で２つに分岐して、一方の空気は、吹出口１７に至り、該吹出口１７から吹き出される。また、他方の空気は、連絡風路２６を介して第３背面側風路２５に至り、仕切部材５０よりも上方の開成する孔部１５から吹き出される。
【００８７】
一方、第２上側風路２３ｂに進入した空気は、蒸発器６０を通過して冷却される。この蒸発器６０にて冷却された空気は、第２背面側風路２４に至り、この第２背面側風路２４を通過した後に第３背面側風路２５に至り、仕切部材５０よりも下方の開成する孔部１５から吹き出される。
【００８８】
吹出口１７から吹き出された空気は、その大部分が吸込口１６に向けて流れることでエアカーテンを形成する。このようにエアカーテンを形成することにより、外部からの熱の侵入を抑制する。また、仕切部材５０よりも上方の孔部１５から吹き出された空気は、商品陳列棚１２の上方域を後方から前方に向けて流れ、その後エアカーテンに合流する。更に、仕切部材５０よりも下方の孔部１５から吹き出された空気は、商品陳列棚１２及びデッキパン１３の上方域を後方から前方に向けて流れ、その後にエアカーテンに合流する。
【００８９】
このようにして収納室１１の内部空気を循環させることで、収納室１１における仕切部材５０の上方領域の内部空気と仕切部材５０の下方領域の内部空気とを異なる温度帯に調整することができる。つまり、仕切部材５０の下方領域の内部空気を仕切部材５０の上方領域の内部空気よりも低い温度にすることができる。
【００９０】
この結果、収納室１１では、仕切部材５０の上方領域における商品と、仕切部材５０の下方領域における商品とを異なる温度帯に保持することができる。
【００９１】
以上説明したように、本発明の実施の形態２であるショーケースによれば、蒸発器６０が収納室１１の上方側に設けられているので、蒸発器６０が収納室１１の背面側や下方側に設けられている場合に比して収納室１１の容積を十分に大きくすることができ、商品の陳列スペースを十分に確保することができる。しかも、仕切部材５０の上方領域における商品と、仕切部材５０の下方領域における商品とを異なる温度帯に保持することができるので、収納室１１の商品を異なる温度状態に保持することができる。つまり、上記ショーケースによれば、商品の陳列スペースを十分に確保しつつ、収納室１１の商品を異なる温度状態に保持することができる。
【００９２】
特に、収納室１１と第２背面側風路２４との間には、第３背面側風路２５が設けられており、仕切部材５０よりも上方側の第３背面側風路２５には蒸発器６０で冷却された空気が通過しないから、第３背面側風路２５における仕切部材５０よりも上方部分は、収納室１１における仕切部材５０の上方領域と、第２背面側風路２４との緩衝領域として作用し、熱伝導による損失や、背面パネル１４の結露等を防止することができる。
【００９３】
更に、第１上側風路２３ａに設けられたアシストファン３１の回転駆動量を増減させることにより、吹出口１７より吹き出される空気量を増減させることができることから、仕切部材５０の設置高さレベルに応じて、アシストファン３１の回転駆動量を調整することにより、収納室１１における仕切部材５０の上方領域の容積に応じて適切な吹出量を確保することができる。
【００９４】
以上、本発明の好適な実施の形態１及び２について説明したが、本発明においては、次のようにして収納室１１に収納された商品を所望の温度状態に保持することができる。
【００９５】
上記実施の形態１であるショーケースにおいては、図２に示した状態から仕切部材５０を取り外した場合、図５に示すように、第３背面側風路２５を通過する空気、すなわち蒸発器６０で冷却された空気の一部は、連絡風路２６を介して第１上側風路２３ａに至り、吹出口１７から吹き出される。これによれば、収納室１１の内部温度を均一の温度にすることができ、これにより収納室１１に収納された商品を略同じ温度帯に保持することができる。
【００９６】
また、本発明においては、図６に示すように、ケース本体１０”において、第１上側風路２３ａと第２上側風路２３ｂとを連通する連通口７０が形成されるともに、該連通口７０を開閉する開閉体７１が設けられていてもよい。連通口７０は、第１上側風路２３ａにおける吹出量調整手段３０により閉塞される部位よりも下流側部位と、第２上側風路２３ｂにおける蒸発器６０の下流側部位とを連通させる開口である。開閉体７１は、開閉自在に設けられており、制御手段から与えられる指令に応じて開閉移動するものである。つまり、開閉体７１は、制御手段から開指令が与えられた場合には、開移動して連通口７０を開放する一方、閉指令が与えられた場合には、閉移動して連通口７０を閉塞するものである。
【００９７】
そして、仕切部材５０を取り外した状態で、吹出量調整手段３０が第１上側風路２３ａの一部を閉塞した状態で開閉体７１を開移動させて連通口７０を開放させると、次のようになる。すなわち、蒸発器６０にて冷却された空気は、途中で２つに分岐して、一方の空気は、連通口７０を通過して吹出口１７に至り、該吹出口１７から吹き出される。また、他方の空気は、第２背面側風路２４に至り、この第２背面側風路２４を通過した後に第３背面側風路２５に至る。この第３背面側風路２５を通過する空気は、開成する孔部１５から吹き出されるとともに、連絡風路２６を介して第１上側風路２３ａに至り、吹出口１７から吹き出される。これによれば、収納室１１の内部温度を均一の温度にすることができ、これにより収納室１１に収納された商品を略同じ温度帯に保持することができる。
【００９８】
＜実施の形態３＞
図７は、本発明の実施の形態３であるショーケースの内部構造を模式的に示す断面側面図である。尚、上述した実施の形態１であるショーケースと同様の構成を有するものには同一の符号を付して説明する。ここで例示するショーケースは、ケース本体１００を備えている。
【００９９】
ケース本体１００は、前面に開口（以下、前面開口ともいう）１０ａが形成された断熱筐体である。このケース本体１００は、その内部に収納室１１が画成されているとともに、空気循環手段８０、吹出量調整手段３０、吹出量調整部材４０及び仕切部材５０が設けられている。
【０１００】
収納室１１は、上記前面開口１０ａを臨む態様で画成された室であり、複数（図示の例では５つ）の商品陳列棚１２が上下方向に沿って並べて配設されている。商品陳列棚１２は、それぞれ商品を載置して陳列するためのものである。かかる収納室１１の底部にはデッキパン１３が配設されている。このデッキパン１３は、上記商品陳列棚１２と同様に商品を載置して陳列するためのものである。
【０１０１】
また収納室１１を画成する背面パネル１４には、複数の孔部１５が形成されている。これら孔部１５は、複数の高さレベルに設けられており、左右方向が長手方向となる長孔である。より詳細に説明すると、孔部１５は、各商品陳列棚１２の下部に形成されている。
【０１０２】
更に収納室１１の前方下部には吸込口１６ａ，１６ｂが形成されているとともに、収納室１１の前方上部には吹出口１７が形成されている。
【０１０３】
吸込口１６ａ，１６ｂは、それぞれ収納室１１の内部の空気を吸い込むための開口であり、収納室１１の左右方向に沿って延在するよう前後に並設されている。吹出口１７は、収納室１１の内部に空気を吹き出すための開口であり、収納室１１の左右方向に延設されている。この吹出口１７には、例えばハニカム構造の整流部材１７ａが取り付けられている。
【０１０４】
空気循環手段８０は、内方空気風路８０ａと、外方空気風路８０ｂと、内方循環ファン８０ａ１、外方循環ファン８０ｂ１とを備えて構成されている。
【０１０５】
内方空気風路８０ａは、内方下側風路８１ａと、第１内方背面側風路（第１背面側風路）８２ａと、内方上側風路（第２上側風路）８３ａと、第２内方背面側風路（第２背面側風路）８４と、第３内方背面側風路（第３背面側風路）８５とを備えて構成されている。
【０１０６】
内方下側風路８１ａは、収納室１１外であってその下方に前後方向に沿って設けられている。この内方下側風路８１ａは、後側吸込口（第１吸込口）１６ａに連通している。第１内方背面側風路８２ａは、収納室１１外であってその背面側に上下方向に沿って設けられている。この第１内方背面側風路８２ａは、内方下側風路８１ａに連通している。
【０１０７】
内方上側風路８３ａは、収納室１１外であってその上方に設けられており、第１内方背面側風路８２ａに連通している。第２内方背面側風路８４は、収納室１１の背面側において上下方向に沿って延在しており、内方上側風路８３ａと連通している。この第２内方背面側風路８４は、第１内方背面側風路８２ａの前方側で延設されていて、該第１内方背面側風路８２ａと区画されている。
【０１０８】
第３内方背面側風路８５は、収納室１１の背面側において上下方向に沿って延在している。この第３内方背面側風路８５は、第２内方背面側風路８４と収納室１１との間に延設され、第２内方背面側風路８４とは互いの下端部同士が連通した状態で区画されており、収納室１１とは背面パネル１４に配設された各孔部１５を通じて連通している。
【０１０９】
内方循環ファン８０ａ１は、図示せぬ制御手段から与えられる指令により駆動して空気を循環させるものであり、内方下側風路８１ａの所定部位に配設されている。本実施の形態においては、内方循環ファン８０ａ１は内方下側風路８１ａの所定部位に配設されているが、本発明では、内方循環ファン８０ａ１の配設位置は特に限定されるものではなく、後述する内方循環ファン８０ａ１の機能を発揮することができる個所であればどこに配設しても構わない。
【０１１０】
外方空気風路８０ｂは、外方下側風路８１ｂと、外方背面側風路８２ｂと、外方上側風路（第１上側風路）８３ｂとを備えて構成されている。
【０１１１】
外方下側風路８１ｂは、収納室１１外であってその下方に前後方向に沿って設けられている。この外方下側風路８１ｂは、前側吸込口（第２吸込口）１６ｂに連通しており、内方下側風路８１ａの下方側に区画されて設けられている。外方背面側風路８２ｂは、収納室１１外であってその背面側に上下方向に沿って設けられている。この外方背面側風路８２ｂは、外方下側風路８１ｂに連通しており、第１内方背面側風路８２ａの後方側に区画されて設けられている。
【０１１２】
外方上側風路８３ｂは、収納室１１外であってその上方に設けられている。この外方上側風路８３ｂは、外方背面側風路８２ｂに連通しており、内方上側風路８３ａと区画されて設けられている。また、外方上側風路８３ｂは、吹出口１７に連通しているとともに、連絡風路８６を通じて第３内方背面側風路８５に連通している。
【０１１３】
外方循環ファン８０ｂ１は、図示せぬ制御手段から与えられる指令により駆動して空気を循環させるものであり、外方下側風路８１ｂの所定部位に配設されている。本実施の形態においては、外方循環ファン８０ｂ１は外方下側風路８１ｂの所定部位に配設されているが、本発明では、外方循環ファン８０ｂ１の配設位置は特に限定されるものではなく、後述する外方循環ファン８０ｂ１の機能を発揮することができる個所であればどこに配設しても構わない。
【０１１４】
このような空気循環手段８０は、内方循環ファン８０ａ１が駆動することにより後側吸込口１６ａを通じて収納室１１の内部にある空気（内部空気）を吸い込み、吸い込んだ空気が内方空気風路８０ａを通過する態様で各吹出口１７又は各孔部１５まで送出し、吹出口１７又は各孔部１５を通じて送出した空気を収納室１１の内部に吹き出すことにより、収納室１１の内部と外部との間で空気を循環させるものである。
【０１１５】
また、空気循環手段８０は、外方循環ファン８０ｂ１が駆動することにより前側吸込口１６ｂを通じて収納室１１の内部にある空気（内部空気）を吸い込み、吸い込んだ空気が外方空気風路８０ｂを通過する態様で吹出口１７又は各孔部１５まで送出し、吹出口１７又は各孔部１５を通じて送出した空気を収納室１１の内部に吹き出すことにより、収納室１１の内部と外部との間で空気を循環させるものである。
【０１１６】
上記内方空気風路８０ａの内方上側風路８３ａには、蒸発器（温度調整手段）６０が設けられている。すなわち、蒸発器６０は、ケース本体１００において収納室１１よりも上方域に配設されている。蒸発器６０は、圧縮機６１、凝縮器６２及び膨張機構６３とともに冷媒を循環させる冷媒循環手段を構成している。ここで圧縮機６１は、制御手段から与えられる指令により駆動するもので、冷媒を圧縮するものである。凝縮器６２は、圧縮機６１で圧縮された冷媒を凝縮させるものである。膨張機構６３は、凝縮器６２で凝縮された冷媒を断熱膨張させて低温低圧の状態にさせるものである。
【０１１７】
蒸発器６０は、内方循環ファン８０ａ１が駆動することにより内方上側風路８３ａを後方から前方に向けて通過する空気と、膨張機構６３で断熱膨張させた冷媒とを熱交換させるもの、より詳細には、冷媒を蒸発させることにより内方上側風路８３ａを通過する空気を冷却するものである。この蒸発器６０で蒸発した冷媒は、再び圧縮機６１に戻り圧縮されることになる。
【０１１８】
吹出量調整手段３０は、外方上側風路８３ｂにおける該外方上側風路８３ｂと連絡風路８６との合流個所よりも上流側に設けられている。この吹出量調整手段３０は、制御手段から与えられる指令により開閉駆動する弁体のようなものであり、閉駆動する場合には、外方上側風路８３ｂの一部を閉塞することにより、該外方上側風路８３ｂを空気が通過することを規制するものである。このように吹出量調整手段３０は、外方上側風路８３ｂを通過する空気の量を制御することで、吹出口１７から吹き出される空気量を調整するものである。
【０１１９】
尚、本実施の形態では、吹出量調整手段３０として制御手段から与えられる指令に応じて開閉駆動する弁体を例示したが、本発明においては、吹出量調整手段３０としてダンパを適用してよい。すなわち、吹出量調整手段３０は、制御手段から与えられる指令により自身の通過口の開放割合を調整するものであってもよい。これによっても外方上側風路８３ｂを通過して吹出口１７に向けて流れる空気の量を制御し、結果的に吹出口１７から吹き出される空気量を調整することができる。
【０１２０】
吹出量調整部材４０は、複数設けられており、それぞれ上記孔部１５の高さレベル毎に設けられている。この吹出量調整部材４０は、制御手段から与えられる指令により開閉駆動するものであり、閉駆動する場合には、対応する孔部１５を閉塞するものである。このような吹出量調整部材４０は、背面パネル１４に設けられた孔部１５より吹き出される空気量を調整するものである。
【０１２１】
尚、本実施の形態では、吹出量調整部材４０として制御手段から与えられる指令に応じて開閉駆動する弁体を例示したが、本発明においては、吹出量調整部材４０としてダンパを適用してよい。すなわち、吹出量調整部材４０は、制御手段から与えられる指令により自身の通過口の開放割合を調整するものであってもよい。これによっても孔部１５から吹き出される空気量を調整することができる。
【０１２２】
仕切部材５０は、左右方向が長手方向となる断熱性の長尺状棚部材である。この仕切部材５０は、収納室１１の背面パネル１４における任意の孔部１５を貫通する態様で設けられている。より具体的には、仕切部材５０は、最上位から３番目の商品陳列棚１２と、最上位から４番目の商品陳列棚１２との間に設けられた孔部１５を貫通して、基端部５１が第３内方背面側風路８５と第２内方背面側風路８４とを区画する壁８７に当接している。尚、仕切部材５０が取り付けられる孔部１５では、吹出量調整部材４０が開駆動して開成されている。このような仕切部材５０は、収納室１１及び第３内方背面側風路８５を仕切ることで上下に区画している。
【０１２３】
以上のような構成によるショーケースにおいては、制御手段から与えられる指令により、吹出量調整手段３０を開駆動させるとともに、仕切部材５０が貫通する孔部１５より下方の吹出量調整部材４０を開駆動させ、かつ仕切部材５０が貫通する孔部１５より上方の吹出量調整部材４０を閉駆動させてこれらに対応する孔部１５を閉成させた状態で内方循環ファン８０ａ１、外方循環ファン８０ｂ１及び圧縮機６１を駆動させると、商品陳列棚１２に載置された商品は次のようにして冷却される。
【０１２４】
収納室１１の内部の空気は、吸込口１６ａ，１６ｂを通じて吸い込まれる。前側吸込口１６ｂを通じて吸い込まれた空気は、外方下側風路８１ｂ及び外方背面側風路８２ｂを通過して外方上側風路８３ｂに進入する。外方上側風路８３ｂに進入した空気は、吹出口１７に至り、該吹出口１７から吹き出される。
【０１２５】
後側吸込口１６ａを通じて吸い込まれた空気は、内方下側風路８１ａ及び第１内方背面側風路８２ａを通過し、内方上側風路８３ａに進入する。
【０１２６】
内方上側風路８３ａに進入した空気は、蒸発器６０を通過して冷却される。この蒸発器６０にて冷却された空気は、第２内方背面側風路８４に至り、この第２内方背面側風路８４を通過した後に第３内方背面側風路８５に至り、仕切部材５０よりも下方の開成する孔部１５から吹き出される。
【０１２７】
吹出口１７から吹き出された空気は、その大部分が吸込口１６ａ，１６ｂに向けて流れることでエアカーテンを形成する。このようにエアカーテンを形成することにより、外部からの熱の侵入を抑制する。また、孔部１５から吹き出された空気は、商品陳列棚１２及びデッキパン１３の上方域を後方から前方に向けて流れ、その後にエアカーテンに合流する。
【０１２８】
このようにして収納室１１の内部空気を循環させることで、収納室１１における仕切部材５０の上方領域の内部空気と仕切部材５０の下方領域の内部空気とを異なる温度帯に調整することができる。つまり、仕切部材５０の下方領域の内部空気を仕切部材５０の上方領域の内部空気よりも低い温度にすることができる。
【０１２９】
この結果、収納室１１では、仕切部材５０の上方領域における商品と、仕切部材５０の下方領域における商品とを異なる温度帯に保持することができる。
【０１３０】
以上説明したように、本発明の実施の形態３であるショーケースによれば、蒸発器６０が収納室１１の上方側に設けられているので、蒸発器６０が収納室１１の背面側や下方側に設けられている場合に比して収納室１１の容積を十分に大きくすることができ、商品の陳列スペースを十分に確保することができる。しかも、仕切部材５０の上方領域における商品と、仕切部材５０の下方領域における商品とを異なる温度帯に保持することができるので、収納室１１の商品を異なる温度状態に保持することができる。つまり、上記ショーケースによれば、商品の陳列スペースを十分に確保しつつ、収納室１１の商品を異なる温度状態に保持することができる。
【０１３１】
特に、収納室１１と第２内方背面側風路８４との間には、第３内方背面側風路８５が設けられており、仕切部材５０よりも上方側の第３内方背面側風路８５には蒸発器６０で冷却された空気が通過しないから、第３内方背面側風路８５における仕切部材５０よりも上方部分は、収納室１１における仕切部材５０の上方領域と、第２内方背面側風路８４との緩衝領域として作用し、熱伝導による損失や、背面パネル１４の結露等を防止することができる。
【０１３２】
更に、内方空気風路８０ａを通過する空気と、外方空気風路８０ｂを通過する空気とが、風路の途中で混ざらないので、冷却負荷の低減化を図ることができ、省エネルギー化を図ることができる。
【０１３３】
＜実施の形態４＞
図８は、本発明の実施の形態４であるショーケースを模式的に示す正面図であり、図９は、図８のＡ−Ａ線断面図、図１０は、図８のＢ−Ｂ線断面図である。ここで例示するショーケースは、ケース本体１１０を備えている。
【０１３４】
ケース本体１１０は、前面に開口（以下、前面開口ともいう）１１０ａが形成された断熱筐体である。このケース本体１１０は、その内部に収納室１１１が画成されているとともに、空気循環手段１２０、吹出量調整部材１４０及び仕切部材１５０が設けられている。
【０１３５】
収納室１１１は、上記前面開口１１０ａを臨む態様で画成された室であり、複数（図示の例では５つ）の商品陳列棚１１２が上下方向に沿って並べて配設されている。商品陳列棚１１２は、それぞれ商品を載置して陳列するためのものである。かかる収納室１１１の底部にはデッキパン１１３が配設されている。このデッキパン１１３は、上記商品陳列棚１１２と同様に商品を載置して陳列するためのものである。
【０１３６】
また収納室１１１を画成する背面パネル１１４には、複数の孔部１１５が形成されている。これら孔部１１５は、複数の高さレベルに設けられており、左右方向が長手方向となる長孔である。より詳細に説明すると、孔部１１５は、各商品陳列棚１１２の下部に形成されている。
【０１３７】
更に収納室１１１の前方下部には、複数の吸込口１１６が形成されているとともに、収納室１１１の前方上部には吹出口１１７が形成されている。
【０１３８】
吸込口１１６は、それぞれ収納室１１１の内部の空気を吸い込むための開口であり、収納室１１１の左右方向に沿って延設されている。ここで前側の吸込口１１６（以下、前側吸込口１１６ａともいう）は、後側の吸込口１１６（以下、後側吸込口１１６ｂともいう）よりも上方側に位置している。つまり、前側吸込口１１６ａ（第２吸込口）と後側吸込口１１６ｂ（第１吸込口）との間で高低差が設けられている。
【０１３９】
吹出口１１７は、収納室１１１の内部に空気を吹き出すための開口であり、収納室１１１の左右方向に延設されている。この吹出口１１７には、例えばハニカム構造の整流部材（図示せず）が取り付けられている。
【０１４０】
空気循環手段１２０は、空気風路１２０ａと循環ファン１２０ｂとを備えて構成されている。空気風路１２０ａは、吸込口１１６から吹出口１１７及び各孔部１１５に至る空気の風路である。
【０１４１】
このような空気風路１２０ａは、下側風路１２１と、第１背面側風路１２２と、上側風路１２３と、第２背面側風路１２４と、第３背面側風路１２５とを備えて構成されている。
【０１４２】
下側風路１２１は、収納室１１１外であってその下方に前後方向に沿って設けられている。この下側風路１２１は、２つに分かれており、下方側となる第１下側風路１２１ａと、上方側となる第２下側風路１２１ｂとを有している。第１下側風路１２１ａは、前側吸込口１１６ａに連通しており、第２下側風路１２１ｂは、後側吸込口１１６ｂに連通している。
【０１４３】
第１背面側風路１２２は、収納室１１１外であってその背面側に上下方向に沿って設けられている。この第１背面側風路１２２は、図１１に示すように、１つの第１通過用風路１２２ａと、２つの第２通過用風路１２２ｂとを有している。
【０１４４】
第１通過用風路１２２ａは、第２下側風路１２１ｂに連通している。第２通過用風路１２２ｂは、第１通過用風路１２２ａと区画された態様で該第１通過用風路１２２ａの左右両側域に設けられており、それぞれ第１下側風路１２１ａに連通している。
【０１４５】
上側風路１２３は、収納室１１１外であってその上方に設けられている。この上側風路１２３は、２つの第１上側風路１２３ａと、１つの第２上側風路１２３ｂとを有している。
【０１４６】
第１上側風路１２３ａは、ケース本体１１０の収納室１１１外上方において左右両端部に設けられており、左側の第１上側風路１２３ａは、左側の第２通過用風路１２２ｂに連通しており、右側の第１上側風路１２３ａは、右側の第２通過用風路１２２ｂに連通している。
【０１４７】
また、これら第１上側風路１２３ａは、その途中の合流部分１２３ｃで互いに合流して吹出口１１７に連通している。更に第１上側風路１２３ａには、合流部分１２３ｃにおいて整流板１２３ｄが設けられている。整流板１２３ｄは、左右方向が長手方向となる長尺状板状体であり、通過する空気を左右均一となるよう整流させるものである。
【０１４８】
第２上側風路１２３ｂは、第１上側風路１２３ａの合流部分１２３ｃよりも後方側において、２つの第１上側風路１２３ａの間に設けられている。この第２上側風路１２３ｂは、第１通過用風路１２２ａに連通している。
【０１４９】
第２背面側風路１２４は、収納室１１１の背面側において上下方向に沿って延在しており、第２上側風路１２３ｂと連通している。この第２背面側風路１２４は、第１背面側風路１２２（第１通過用風路１２２ａ及び第２通過用風路１２２ｂ）の前方側で延設されていて、該第１背面側風路１２２と区画されている。
【０１５０】
第３背面側風路１２５は、収納室１１１の背面側において上下方向に沿って延在している。この第３背面側風路１２５は、第２背面側風路１２４と収納室１１１との間に延設され、第２背面側風路１２４とは互いの下端部同士が連通した状態で区画されており、収納室１１１とは背面パネル１１４に配設された各孔部１１５を通じて連通している。
【０１５１】
循環ファン１２０ｂは、複数（図示の例では３つ）設けられており、図示せぬ制御手段から与えられる指令により駆動して空気を循環させるものである。これら循環ファン１２０ｂは、それぞれ第１背面側風路１２２における第１通過用風路１２２ａ及び第２通過用風路１２２ｂの下部に設けられている。
【０１５２】
このような空気循環手段１２０においては、第２通過用風路１２２ｂの下部に設けられた循環ファン１２０ｂが駆動することにより、前側吸込口１１６ａを通じて収納室１１１の内部にある空気（内部空気）が吸い込まれ、吸い込まれた空気が第１下側風路１２１ａ、第２通過用風路１２２ｂ及び第１上側風路１２３ａを通過する態様で吹出口１１７まで送出され、吹出口１１７を通じて送出された空気が収納室１１１の内部に吹き出されることにより、前側吸込口１１６ａ及び吹出口１１７を通じて収納室１１１の内部と外部との間で空気を循環させるものである。
【０１５３】
また空気循環手段１２０においては、第１通過用風路１２２ａの下部に設けられた循環ファン１２０ｂが駆動することにより、後側吸込口１１６ｂを通じて収納室１１１の内部にある空気（内部空気）が吸い込まれ、吸い込まれた空気が第２下側風路１２１ｂ、第１通過用風路１２２ａ、第２上側風路１２３ｂ、第２背面側風路１２４及び第３背面側風路１２５を通過する態様で各孔部１１５まで送出され、各孔部１１５を通じて送出された空気が収納室１１１の内部に吹き出されることにより、後側吸込口１１６ｂ及び各孔部１１５を通じて収納室１１１の内部と外部との間で空気を循環させるものである。
【０１５４】
上記空気風路１２０ａの第２上側風路１２３ｂには、蒸発器（温度調整手段）１６０が設けられている。すなわち、蒸発器１６０は、ケース本体１１０において収納室１１１よりも上方域に配設されている。蒸発器１６０は、圧縮機１６１、凝縮器１６２及び膨張機構１６３とともに冷媒を循環させる冷却ユニットを構成している。ここで圧縮機１６１は、制御手段から与えられる指令により駆動するもので、冷媒を圧縮するものである。凝縮器１６２は、圧縮機１６１で圧縮された冷媒を凝縮させるものである。膨張機構１６３は、凝縮器１６２で凝縮された冷媒を断熱膨張させて低温低圧の状態にさせるものである。
【０１５５】
蒸発器１６０は、循環ファン１２０ｂが駆動することにより第２上側風路１２３ｂを後方から前方に向けて通過する空気と、膨張機構１６３で断熱膨張させた冷媒とを熱交換させるもの、より詳細には、冷媒を蒸発させることにより第２上側風路１２３ｂを通過する空気を冷却するものである。この蒸発器１６０で蒸発した冷媒は、再び圧縮機１６１に戻り圧縮されることになる。
【０１５６】
吹出量調整部材１４０は、複数設けられており、それぞれ上記孔部１１５の高さレベル毎に設けられている。この吹出量調整部材１４０は、制御手段から与えられる指令により開閉駆動するものであり、閉駆動する場合には、対応する孔部１１５を閉塞するものである。このような吹出量調整部材１４０は、背面パネル１１４に設けられた孔部１１５より吹き出される空気量を調整するものである。
【０１５７】
尚、本実施の形態では、吹出量調整部材１４０として制御手段から与えられる指令に応じて開閉駆動する弁体を例示したが、本発明においては、吹出量調整部材１４０としてダンパを適用してよい。すなわち、吹出量調整部材１４０は、制御手段から与えられる指令により自身の通過口の開放割合を調整するものであってもよい。これによっても孔部１１５から吹き出される空気量を調整することができる。
【０１５８】
仕切部材１５０は、左右方向が長手方向となる断熱性の長尺状棚部材である。この仕切部材１５０は、収納室１１１の背面パネル１１４における任意の孔部１１５を貫通する態様で設けられている。より具体的には、仕切部材１５０は、最上位から３番目の商品陳列棚１１２と、最上位から４番目の商品陳列棚１１２との間に設けられた孔部１１５を貫通して、基端部１５１が第３背面側風路１２５と第２背面側風路１２４とを区画する壁１２７に当接している。尚、仕切部材１５０が取り付けられる孔部１１５では、吹出量調整部材１４０が開駆動して開成されている。このような仕切部材１５０は、収納室１１１及び第３背面側風路１２５を仕切ることで上下に区画している。
【０１５９】
以上のような構成によるショーケースにおいては、制御手段から与えられる指令により、仕切部材１５０が貫通する孔部１１５より下方の吹出量調整部材１４０を開駆動させ、かつ仕切部材１５０が貫通する孔部１１５より上方の吹出量調整部材１４０を閉駆動させてこれらに対応する孔部１１５を閉成させた状態で循環ファン１２０ｂ及び圧縮機１６１を駆動させると、商品陳列棚１１２に載置された商品は次のようにして冷却される。
【０１６０】
前側吸込口１１６ａを通じて吸い込まれた空気は、第１下側風路１２１ａを通過して各第２通過用風路１２２ｂに進入し、各第２通過用風路１２２ｂを通過して各第１上側風路１２３ａに進入する。各第１上側風路１２３ａに進入した空気は、合流部分１２３ｃで合流し、その後に整流板１２３ｄに衝突することにより左右均一に整流される。このようにして整流された空気は、吹出口１１７に至り、該吹出口１１７から吹き出される。
【０１６１】
このようにして吹出口１１７から吹き出された空気は、ケース本体１１０の前面開口１１０ａの近傍を下方に向けて通過してエアカーテンを形成し、その後に前側吸込口１１６ａに吸い込まれて上述した循環を繰り返す。このようにエアカーテンを形成することにより、外部からの熱の侵入を抑制する。
【０１６２】
一方、後側吸込口１１６ｂを通じて吸い込まれた空気は、第２下側風路１２１ｂを通過して第１通過用風路１２２ａに進入し、第１通過用風路１２２ａを通過して第２上側風路１２３ｂに進入する。第２上側風路１２３ｂに進入した空気は、蒸発器１６０を通過して冷却される。この蒸発器１６０にて冷却された空気は、第２背面側風路１２４に至り、この第２背面側風路１２４を通過した後に第３背面側風路１２５に至り、仕切部材１５０よりも下方の開成する孔部１１５から吹き出される。
【０１６３】
このようにして孔部１１５から吹き出された空気は、商品陳列棚１１２及びデッキパン１１３の上方域を後方から前方に向けて流れ、その後に後側吸込口１１６ｂに吸い込まれて上述した循環を繰り返す。
【０１６４】
このようにして収納室１１１の内部空気を循環させることで、収納室１１１における仕切部材１５０の上方領域の内部空気と仕切部材１５０の下方領域の内部空気とを異なる温度帯に調整することができる。つまり、仕切部材１５０の下方領域の内部空気を仕切部材１５０の上方領域の内部空気よりも低い温度にすることができる。
【０１６５】
この結果、収納室１１１では、仕切部材１５０の上方領域における商品と、仕切部材１５０の下方領域における商品とを異なる温度帯に保持することができる。
【０１６６】
以上説明したように、本発明の実施の形態４であるショーケースによれば、蒸発器１６０が収納室１１１の上方側に設けられているので、蒸発器１６０が収納室１１１の背面側や下方側に設けられている場合に比して収納室１１１の容積を十分に大きくすることができ、商品の陳列スペースを十分に確保することができる。しかも、仕切部材１５０の上方領域における商品と、仕切部材１５０の下方領域における商品とを異なる温度帯に保持することができるので、収納室１１１の商品を異なる温度状態に保持することができる。つまり、上記ショーケースによれば、商品の陳列スペースを十分に確保しつつ、収納室１１１の商品を異なる温度状態に保持することができる。
【０１６７】
特に、収納室１１１と第２背面側風路１２４との間には、第３背面側風路１２５が設けられており、仕切部材１５０よりも上方側の第３背面側風路１２５には蒸発器１６０で冷却された空気が通過しないから、第３背面側風路１２５における仕切部材１５０よりも上方部分は、収納室１１１における仕切部材１５０の上方領域と、第２背面側風路１２４との緩衝領域として作用し、熱伝導による損失や、背面パネル１１４の結露等を防止することができる。
【０１６８】
上記ショーケースによれば、前側吸込口１１６ａを通じて吸い込まれた空気は、第１下側風路１２１ａ、第２通過用風路１２２ｂ及び第１上側風路１２３ａを通過して吹出口１１７より吹き出されるようにして、前側吸込口１１６ａ及び吹出口１１７を通じて収納室１１１の内部と外部との間で空気を循環させ、かつ後側吸込口１１６ｂを通じて吸い込まれた空気は、第２下側風路１２１ｂ、第１通過用風路１２２ａ、第２上側風路１２３ｂ、第２背面側風路１２４及び第３背面側風路１２５を通過して各孔部１１５から吹き出されるようにして、後側吸込口１１６ｂ及び各孔部１１５を通じて収納室１１１の内部と外部との間で空気を循環させるようにしたので、異なる経路を循環する空気同士が混じり合うことを最小限に抑制することができる。このように最小限に抑制できることで、蒸発器１６０での冷却量を低減でき、結果的に省エネルギー化を図ることができる。また省エネルギー化を図ることで、ランニングコストの低減化はもちろんのこと、冷却ユニットの小型簡素化及び軽量化を図ることができる。
【０１６９】
特に、前側吸込口１１６ａが後側吸込口１１６ｂよりも上方側に位置するよう、前側吸込口１１６ａと後側吸込口１１６ｂとの間で高低差が設けられているので、異なる経路を循環する空気同士が混じり合うことを更に抑制することができる。また、第１上側風路１２３ａを通過する空気が整流板１２３ｄに衝突して左右均一に整流されることで、吹出口１１７の開口面積に対して風量が均一となるように空気を吹き出させることができる。
【０１７０】
以上、本発明の好適な実施の形態１〜４について説明したが、本発明においては、これらに限定されるものではなく、種々の変更を行うことができる。
【０１７１】
上述した実施の形態１〜４では、吹出量調整部材４０，１４０は、制御手段から与えられる指令に応じて開閉駆動する弁体を例示したが、本発明においては、上述したようなダンパを適用してよいし、その他に上下方向にスライド可能なものでもよい。また、本発明においては、制御手段によらずとも、吹出量調整部材４０，１４０は、手動により開閉駆動するものであってもよいし、収納室１１，１１１側に開駆動するものであってもよい。また、吹出量調整部材４０，１４０は、仕切部材５０，１５０が孔部１５，１１５に差し込まれることにより開動作するようにしてもよい。
【０１７２】
更に、本発明においては、吹出量調整部材４０，１４０には孔が形成されて、開放時には第３背面側風路での下流側、閉塞時には収納室１１，１１１側への風量を調整するようにしてもよいし、背面パネル１４，１４０には、通風用の孔が適宜設けられていてもよい。
【０１７３】
上述した実施の形態４では、第２通過用風路１２２ｂと、第３背面側風路１２５とは連通していないが、本発明においては、第２通過用風路（１２２ｂ）と第３背面側風路（１２５）とが、図示しない連絡口を介して互いに連通していてもよい。ここで連絡口は、常態においては、図示せぬシャッタ機構により閉塞されており、かかるシャッタ機構が開動作することにより開放されるものである。
【０１７４】
このような構成によれば、シャッタ機構が開動作して第２通過用風路と第３背面側風路とが連絡口を通じて互いに連通することにより、第３背面側風路を通過する空気、すなわち蒸発器（１６０）に冷却された空気が、第２通過用風路及び第１上側風路（１２３ａ）を経由して吹出口（１１７）から収納室（１１１）に吹き出されることとなる。
【０１７５】
そして、収納室の内部温度を均一の温度にすることができ、これにより収納室に収納された商品を略同じ温度帯に保持することができる。
【０１７６】
上述した実施の形態４では、特に説明していないが、本発明においては、第１背面側風路（１２２）において、第１通過用風路（１２２ａ）を構成する壁材と、第２通過用風路（１２２ｂ）を構成する壁材とは互いに異なるものであり、しかも、第２背面側風路（１２４）及び第３背面側風路（１２５）を構成する壁材も第１通過用風路を構成する壁材とは互いに異なるものであることが好ましい。これによれば、第１通過用風路を通過する空気と、第２通過用風路、第２背面側風路及び第３背面側風路を通過する空気との温度差が大きい場合にも両者間での熱伝導を抑制することができる。
【符号の説明】
【０１７７】
１０  ケース本体
１０ａ  前面開口
１１  収納室
１２  商品陳列棚
１４  背面パネル
１５  孔部
１６  吸込口
１７  吹出口
２０  空気循環手段
２０ａ  空気風路
２０ｂ  循環ファン
２２  第１背面側風路
２４  第２背面側風路
２５  第３背面側風路
３０  吹出量調整手段
４０  吹出量調整部材
５０  仕切部材
６０  蒸発器
【図１】
0006729009.tif 000002
【図２】
0006729009.tif 000003
【図３】
0006729009.tif 000004
【図４】
0006729009.tif 000005
【図５】
0006729009.tif 000006
【図６】
0006729009.tif 000007
【図７】
0006729009.tif 000008
【図８】
0006729009.tif 000009
【図９】
0006729009.tif 000010
【図１０】
0006729009.tif 000011
【図１１】
0006729009.tif 000012